(57)【要約】【課題】無線データ通信を行うために無線リンクを張る際に低消費電力の状態でも携帯端末装置の無線機能を同期起動することができる無線通信システムを提供することを目的とする。【解決手段】複数の携帯端末装置の間で無線リンクを介してデータ通信を行う無線通信システムであって、複数の携帯端末装置はそれぞれ、複数の携帯端末装置の間の無線通信におけるデータ転送経路を取得すると共に、データ通信を行うアプリケーション６ａ、６ｂの起動の同期動作を複数の携帯端末装置の間で絶対時間を用いて行う。【選択図】　図１
2004015275.tif 000002
【特許請求の範囲】
【請求項１】
複数の携帯端末装置の間で無線リンクを介してデータ通信を行う無線通信システムであって、
前記複数の携帯端末装置はそれぞれ、前記複数の携帯端末装置の間の無線通信におけるデータ転送経路を取得すると共に、データ通信を行うアプリケーションの起動の同期動作を前記複数の携帯端末装置の間で絶対時間を用いて行うことを特徴とする無線通信システム。
【請求項２】
前記絶対時間に代えて前記複数の携帯端末装置の間で一意に決められた相対時間を用いることを特徴とする請求項１に記載の無線通信システム。
【請求項３】
前記複数の携帯端末装置はそれぞれ、前記同期起動の設定データを前記複数の携帯端末装置の間で無線通信を用いて交換し、前記設定データに基づいて前記同期動作を行わせることを特徴とする請求項１または２に記載の無線通信システム。
【請求項４】
前記複数の携帯端末装置はそれぞれ、前記複数の携帯端末装置の間で生じる時間の差分の調整を無線通信を用いた時間データの交換により行うことを特徴とする請求項１乃至３のいずれか１に記載の無線通信システム。
【請求項５】
前記データの交換に失敗した場合には前記複数の携帯端末装置のデータ交換の仲介または調整を行う管理装置を備えたことを特徴とする請求項３または４に記載の無線通信システム。
【請求項６】
前記管理装置は、アプリケーションデータの仲介を行うことが可能であることを特徴とする請求項５に記載の無線通信システム。
【請求項７】
前記管理装置は、全ての設定データおよび全てのアプリケーションデータの仲介を行うことが可能であり、管理下にある各携帯端末装置の通信動作状況の把握が可能であることを特徴とするを請求項５に記載の無線通信システム。
【請求項８】
前記管理装置は、管理下にある前記複数の携帯端末装置のそれぞれに対してシステムデータを無線で通知させることが可能であることを特徴とする請求項５乃至７のいずれか１に記載の無線通信システム。
【請求項９】
前記管理装置は複数であり、前記複数の管理装置の間は無線または有線でデータ交換可能であることを特徴とする請求項５乃至８のいずれか１に記載の無線通信システム。
【発明の詳細な説明】
【０００１】
【発明の属する技術分野】
本発明は、複数の携帯端末装置の間で無線リンクを介してデータ通信を行う無線通信システムに関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔ）等のような電池駆動による携帯端末装置の普及に伴い、携帯端末装置間で無線によるデータ通信を行う必要性が増している。
【０００３】
携帯端末装置間で無線通信を行う無線通信システムの場合、通常は消費電力やセキュリティーの点から携帯端末装置間の無線リンクを常時張りつづけることは出来ない。したがって、双方の端末の無線機能を使用者が手動で起動するか、または、無線機能のうち比較的消費電力の少ない受信機のみを起動しておき、相手側データの受信後に受信機以外の無線機能を自動で起動するなどの方法がとられる。
【０００４】
【発明が解決しようとする課題】
このように、従来の無線通信システムでは、携帯端末装置間に無線リンクを張る際、低消費電力の状態で無線機能を同期起動することは出来なかった。
【０００５】
この無線通信システムでは、無線データ通信を行うために無線リンクを張る際に低消費電力の状態でも携帯端末装置の無線機能を同期起動することができることが要求されている。
【０００６】
本発明は、この要求を満たすため、無線データ通信を行うために無線リンクを張る際に低消費電力の状態でも携帯端末装置の無線機能を同期起動することができる無線通信システムを提供することを目的とする。
【０００７】
【課題を解決するための手段】
上記課題を解決するために本発明の無線通信システムは、複数の携帯端末装置の間で無線リンクを介してデータ通信を行う無線通信システムであって、複数の携帯端末装置はそれぞれ、複数の携帯端末装置の間の無線通信におけるデータ転送経路を取得すると共に、データ通信を行うアプリケーションの起動の同期動作を複数の携帯端末装置の間で絶対時間を用いて行う構成を備えている。
【０００８】
これにより、無線データ通信を行うために無線リンクを張る際に低消費電力の状態でも携帯端末装置の無線機能を同期起動することができる無線通信システムが得られる。
【０００９】
【発明の実施の形態】
本発明の請求項１に記載の無線通信システムは、複数の携帯端末装置の間で無線リンクを介してデータ通信を行う無線通信システムであって、複数の携帯端末装置はそれぞれ、複数の携帯端末装置の間の無線通信におけるデータ転送経路を取得すると共に、データ通信を行うアプリケーションの起動の同期動作を複数の携帯端末装置の間で絶対時間を用いて行うこととしたものである。
【００１０】
この構成により、携帯端末装置間で定期的なデータ交換を行う場合に、無線データ通信を行うアプリケーションを自動で起動することができ、また無線機能はアプリケーションの動作中以外に起動することはないようにすることができるので、無線によるデータ通信経路を常時維持する必要がなく、消費電力を低減することができるという作用を有する。
【００１１】
請求項２に記載の無線通信システムは、絶対時間に代えて複数の携帯端末装置の間で一意に決められた相対時間を用いることとしたものである。
【００１２】
この構成により、携帯端末装置間で定期的なデータ交換を行う場合に、無線データ通信を行うアプリケーションを自動で起動することができ、また無線機能はアプリケーションの動作中以外に起動することはないようにすることができるので、無線によるデータ通信経路を常時維持する必要がなく、消費電力を低減することができるという作用を有する。
【００１３】
請求項３に記載の無線通信システムは、複数の携帯端末装置はそれぞれ、同期起動の設定データを複数の携帯端末装置の間で無線通信を用いて交換し、設定データに基づいて同期動作を行わせることとしたものである。
【００１４】
この構成により、１つの携帯端末装置に同期起動の設定をすることで、関連する他の携帯端末装置には自動的に設定内容を反映させることができるので、複数の携帯端末装置ごとに同期起動の設定をする手間を省くことができると共に、設定誤りによってデータ通信機能に与える損失を防止することができるという作用を有する。
【００１５】
請求項４に記載の無線通信システムは、請求項１乃至３のいずれか１に記載の無線通信システムにおいて、複数の携帯端末装置はそれぞれ、複数の携帯端末装置の間で生じる時間の差分の調整を無線通信を用いた時間データの交換により行うこととしたものである。
【００１６】
この構成により、各携帯端末装置の時間を自動的に調整することができるので、携帯端末装置間の自動起動周期のずれを吸収してデータ転送機能の誤動作を防止することができると共に、各携帯端末装置の時間管理の精度が低くてもよいという作用を有する。
【００１７】
請求項５に記載の無線通信システムは、請求項３または４に記載の無線通信システムにおいて、データの交換に失敗した場合には複数の携帯端末装置のデータ交換の仲介または調整を行う管理装置を備えることとしたものである。
【００１８】
この構成により、データの交換に失敗した送信元携帯端末装置からの設定データおよびデータ交換方法を受信して、送信先携帯端末装置へ送信し、両携帯端末装置間の通信状態の復旧動作を調整することができるので、アプリケーションごとの特性に合った方法でデータ通信の再開を行うことができるという作用を有する。
【００１９】
請求項６に記載の無線通信システムは、請求項５に記載の無線通信システムにおいて、管理装置は、アプリケーションデータの仲介を行うことが可能であることとしたものである。
【００２０】
この構成により、データの交換に失敗した送信元携帯端末装置からのアプリケーションデータを送信先携帯端末装置の代理として受信し、通信状態が復旧した後で、送信先携帯端末装置へ送信することができ、また、間接的なデータ通信が可能となるので、携帯端末装置はデータ通信を行う際に互いの通信可能圏内にいる必要が無くなるという作用を有する。
【００２１】
請求項７に記載の無線通信システムは、請求項５に記載の無線通信システムにおいて、管理装置は、全ての設定データおよび全てのアプリケーションデータの仲介を行うことが可能であり、管理下にある各携帯端末装置の通信動作状況の把握が可能であることとしたものである。
【００２２】
この構成により、管理装置には、携帯端末装置間での設定データ交換の成否に関わらず、全てのデータの履歴を蓄積することができるので、管理下にある携帯端末装置間の通信状況を把握することができ、システム運用における不具合点の把握が容易になるという作用を有する。
【００２３】
請求項８に記載の無線通信システムは、請求項５乃至７のいずれか１に記載の無線通信システムにおいて、管理装置は、管理下にある複数の携帯端末装置のそれぞれに対してシステムデータを無線で通知させることが可能であることとしたものである。
【００２４】
この構成により、管理装置には、各携帯端末装置のバッテリ残量やメモリ使用量などのシステムデータを蓄積することができるので、システム障害を事前に検知することができるという作用を有する。
【００２５】
請求項９に記載の無線通信システムは、請求項５乃至８のいずれか１に記載の無線通信システムにおいて、管理装置は複数であり、複数の管理装置の間は無線または有線でデータ交換可能であることとしたものである。
【００２６】
この構成により、各携帯端末装置は、どの管理装置の管理下にあってもシームレスに、相手側の携帯端末装置との間のデータ通信が可能になるという作用を有する。
【００２７】
以下、本発明の実施の形態について、図１〜図９を用いて説明する。
【００２８】
（実施の形態１）
図１は、本発明の実施の形態１による無線通信システムを構成する携帯端末装置を示すブロック図である。
【００２９】
図１において、１は同期起動に関する設定データを記憶すると共にアプリケーションおよび後述の無線機能部７に対して起動指示を行うアラーム部、２は計時を行うと共にクロック等のパルスのカウントを行うタイマ部、３はメッセージを生成するメッセージ生成部、４は受信したメッセージを解析すると共に解析したメッセージの内容をアラーム部１およびタイマ部１に送信するメッセージ解析部、５はＰＯＰ（Ｐｏｓｔ　Ｏｆｆｉｃｅ　Ｐｒｏｔｏｃｏｌ）クライアント機能を備えたメールクライアントアプリケーション６ａとＰＯＰサーバ機能を備えたメールサーバアプリケーション６ｂとを格納するアプリケーション部、７は無線リンクを介してデータおよびメッセージの送受信を行う無線機能部である。
【００３０】
このように構成された携帯端末装置の２台から成る無線通信システムについて、その動作を図２を用いて説明する。図２は図１の携帯端末装置の動作を示すフローチャートである。
【００３１】
まず、第１の携帯端末装置（自装置、携帯端末装置Ａ）の使用者は、データ通信を行いたい第２の携帯端末装置（相手装置、携帯端末装置Ｂ）の名前と、同期起動したいメールクライアントアプリケーション６ａの名前とをアラーム部１に入力する。これにより、アラーム部１は、携帯端末装置Ｂの名前およびメールクライアントアプリケーション６ａの名前を記憶する（Ｓ１０１）。次に、携帯端末装置Ａの使用者は、メールクライアントアプリケーション６ａを起動したい時刻（起動時刻ｏｒ起動時間）を絶対時間形式または相対時間形式で入力する（Ｓ１０２）。絶対時間形式とは１１時２５分３０秒に起動するといったような時間形式であり、相対時間形式とは現在時刻から３時間後に起動するといったような時間形式である。携帯端末装置Ａの使用者がメールクライアントアプリケーション６ａの起動時刻を絶対時間形式で入力した場合、アラーム部１は入力された時刻を記憶する。アラーム部１は、記憶した時刻とタイマ部２の時刻との比較を１秒ごとに行い、これを両者の値が一致するまで繰り返し、両者の値が一致した場合、ステップＳ１０４に進む（Ｓ１０３）。携帯端末装置Ａの使用者がメールクライアントアプリケーション６ａの起動時刻を相対時間形式で入力した場合、アラーム部１は、入力された相対時間をタイマ部２に送信する。タイマ部２は、相対時間を秒単位に変換して、変換後の値をカウンタ（図示せず）に記憶する。例えば、携帯端末装置Ａの使用者がメールクライアントアプリケーション６ａの起動時刻を現在時刻から３０分後と入力した場合、秒単位に変換した１８００をカウンタに記憶する。タイマ部２は、１秒ごとにカウンタのデクリメントを行い、これをカウンタの値が０になるまで繰り返す。カウンタの値が０になった場合、タイマ部２は、アラーム部１にカウンタの値が０になったことを伝え、ステップＳ１０４に進む（Ｓ１０３）。
【００３２】
ステップＳ１０４において、アラーム部１は、ステップＳ１０１で記憶したメールクライアントアプリケーション６ａと無線機能部７とを起動する。さらに、携帯端末装置Ａの無線機能部７は、携帯端末装置Ｂの無線機能部７と無線リンクを張る（Ｓ１０５）。
【００３３】
同様に、携帯端末装置Ｂの使用者は、携帯端末装置Ａの名前と、同期起動したいメールサーバアプリケーション６ｂの名前とをアラーム部１に入力する（Ｓ１０１）。次に、携帯端末装置Ｂの使用者は、メールサーバアプリケーション６ｂを起動したい時刻を絶対時間形式または相対時間形式で入力する（Ｓ１０２）。ただし、この起動時刻は、携帯端末装置Ａの使用者が設定した時刻と同時刻とする。起動時刻になった場合（Ｓ１０３）、アラーム部１は、ステップＳ１０１で記憶したメールサーバアプリケーション６ｂと無線機能部７とを起動する（Ｓ１０４）。さらに、携帯端末装置Ｂの無線機能部７は、携帯端末装置Ａの無線機能部７と無線リンクを張る（Ｓ１０５）。これにより、携帯端末装置Ａと携帯端末装置Ｂとの間で無線リンクを張り、携帯端末装置Ａのメールクライアントアプリケーション６ａと、携帯端末装置Ｂのメールサーバアプリケーション６ｂとの間で、メールの送受信を自動的に行うことが可能となる。
【００３４】
メールの送受信が完了した場合、携帯端末装置Ａはメールクライアントアプリケーション６ａと無線機能部７を停止し、携帯端末装置Ｂはメールサーバアプリケーション６ｂと無線機能部７を停止する（Ｓ１０６）。
【００３５】
以上のように本実施の形態によれば、複数の携帯端末装置Ａ、Ｂはそれぞれ、複数の携帯端末装置の間の無線通信におけるデータ転送経路を取得すると共に、データ通信を行うアプリケーションの起動の同期動作を複数の携帯端末装置の間で絶対時間または相対時間を用いて行うことにより、携帯端末装置間で定期的なデータ交換を行う場合に、無線データ通信を行うアプリケーションを自動で起動することができ、また無線機能はアプリケーションの動作中以外に起動することはないようにすることができるので、無線によるデータ通信経路を常時維持する必要がなく、消費電力を低減することができる。
【００３６】
（実施の形態２）
本発明の実施の形態２による無線通信システムを構成する携帯端末装置の構成は実施の形態１と同様、図１に示す構成である。無線通信システムは、実施の形態１と同様、携帯端末装置Ａと携帯端末装置Ｂとから成る。
【００３７】
このように構成された携帯端末装置Ａ、Ｂについて、その動作を図３を用いて説明する。図３は、本発明の実施の形態２による無線通信システムの動作を示すフローチャートであり、２台の携帯端末装置Ａ、Ｂの動作を示す。
【００３８】
まず、携帯端末装置Ａの使用者は、携帯端末装置Ｂの名前とメールクライアントアプリケーション６ａの名前とをアラーム部１に入力し（実施の形態１におけるステップＳ１０１と同様の動作）、さらに、メールクライアントアプリケーション６ａの起動時刻を絶対時間形式あるいは相対時間形式で入力する（実施の形態１におけるステップＳ１０２と同様の処理）（Ｓ２０１）。次に、携帯端末装置Ａのアラーム部１は、携帯端末装置Ａの宛名と、携帯端末装置Ｂの宛名と、メールサーバアプリケーション６ｂの名前と、メールサーバアプリケーション６ｂの起動時刻とをメッセージ生成部３に送信する。携帯端末装置Ａのメッセージ生成部３は、受信した内容を元にしてメッセージを生成する（Ｓ２０２）。また、タイマ部２の時計とカウンタのための同期メッセージを携帯端末装置Ｂに送信する場合には（Ｓ２０３）、タイマ部２は、時計がの示す時刻およびカウンタが保持するカウント値をメッセージ生成部３に送信する。メッセージ生成部３は、ステップＳ２０２で生成したメッセージとタイマ部２から送信されてきた時刻およびカウント値とを元にしてメッセージを生成し（Ｓ２０４）、無線機能部７に送信する。無線機能部７は、メッセージ生成部３から受信したメッセージを携帯端末装置Ｂに送信する（Ｓ２０５）。
【００３９】
携帯端末装置Ｂの無線機能部７は、携帯端末装置Ａから受信したメッセージをメッセージ解析部４に送信する（Ｓ２０６）。メッセージ解析部４は、受信したメッセージに含まれる宛名を調べて、携帯端末装置Ｂ宛に送信されたメッセージかどうかをチェックする。受信したメッセージが携帯端末装置Ｂ宛である場合、メッセージ解析部４は、メッセージ送信元（携帯端末装置Ａ）の宛名と、メールサーバアプリケーション６ｂの名前と、メールサーバアプリケーション６ｂの起動時刻とをメッセージから抽出し、アラーム部１へ送信する（Ｓ２０７）。また、メッセージ中に時計とカウンタのための同期メッセージがあった場合、メッセージ解析部４は、これらの同期メッセージを抽出して、タイマ部２へ送信する（Ｓ２０７）。次に、アラーム部１は、メッセージ解析部４から受信した携帯端末装置Ａの宛名とメールサーバアプリケーション６ｂの名前とを記憶し、また、メールサーバアプリケーション６ｂの起動時刻について、絶対時間形式で設定されている場合あるいは相対時間形式で設定されている場合、それぞれの形式に応じた処理を行う（Ｓ２０８）。タイマ部２は、メッセージ解析部４から同期メッセージを受信した場合、同期メッセージに従って時計およびカウンタの補正を行う（Ｓ２０８）。
【００４０】
次に、携帯端末装置Ａは、ステップＳ２０１で行った設定に従って、メールクライアントアプリケーション６ａを自動的に起動する（Ｓ２０９）。携帯端末装置Ｂでは、ステップＳ２０８で行った設定に従って、メールサーバアプリケーション６ｂを自動的に起動する（Ｓ２０９）。そして、携帯端末装置Ａと携帯端末装置Ｂの間で無線リンクを張り、メールの送受信を行う。メールの送受信が完了した場合、携帯端末装置Ａはメールクライアントアプリケーション６ａと無線機能部７を停止し、携帯端末装置Ｂはメールサーバアプリケーション６ｂと無線機能部７を停止する（Ｓ２１０）。
【００４１】
以上のように本実施の形態によれば、複数の携帯端末装置Ａ、Ｂはそれぞれ、同期起動の設定データを複数の携帯端末装置の間で無線通信を用いて交換し、設定データに基づいて同期動作を行わせることにより、１つの携帯端末装置に同期起動の設定をすることで、関連する他の携帯端末装置には自動的に設定内容を反映させることができるので、複数の携帯端末装置ごとに同期起動の設定をする手間を省くことができると共に、設定誤りによってデータ通信機能に与える損失を防止することができる。
【００４２】
また、複数の携帯端末装置Ａ、Ｂはそれぞれ、複数の携帯端末装置の間で生じる時間の差分の調整を無線通信を用いた時間データの交換により行うことにより、各携帯端末装置の時間を自動的に調整することができるので、携帯端末装置間の自動起動周期のずれを吸収してデータ転送機能の誤動作を防止することができると共に、各携帯端末装置の時間管理の精度が低くてもよい。
【００４３】
（実施の形態３）
図４は本発明の実施の形態３による無線通信システムを示すブロック図であり、図５は図４の管理装置を示すブロック図である。
【００４４】
図４において、８は同期起動設定のメッセージを送信することが可能な図１と同一構成の携帯端末装置、９、１０は同期起動設定のメッセージを受信することが可能な図１と同一構成の携帯端末装置、１１は無線リンクを介して携帯端末装置８〜１０へメッセージおよびデータの送受信を行う機能と、受信したメッセージおよびデータの記憶機能とを備えた管理装置、１２は管理装置１１と同様の機能を備え、管理装置１１と有線のリンクで接続されている管理装置である。
【００４５】
また図５において、１３は携帯端末装置８から送信されたメッセージおよびデータを受信する受信部、１４は受信したメッセージを蓄積するメッセージ記憶部、１５は受信したデータを蓄積するデータ記憶部、１６はメッセージを生成するメッセージ生成部、１７はメッセージおよびデータを携帯端末装置９および携帯端末装置１０に送信する送信部である。管理装置１１、１２は電源駆動であり、したがって、管理装置１１、１２は常時動作しているか、あるいは常時起動可能な状態である。
【００４６】
このように構成された無線通信システムについて、その動作を図６を用いて説明する。図６は本発明の実施の形態３による無線通信システムの動作を示すフローチャートである。
【００４７】
まず、携帯端末装置８および携帯端末装置９はそれぞれ、実施の形態２における携帯端末装置Ａおよび携帯端末装置Ｂと同様の処理（Ｓ２０１〜Ｓ２０９、同期起動の設定）を行い、メールの送受信を開始するための動作を開始する（Ｓ３０１）。しかし今回は、携帯端末装置８と携帯端末装置９の間で、例えば互いの通信可能圏内にいない等の理由で無線リンクを張ることができず、メールの送受信に失敗する（Ｓ３０２）。次に、携帯端末装置８のメールクライアントアプリケーション６ａは、メッセージ送信元である携帯端末装置８の宛名と、メッセージ送信先である携帯端末装置９の宛名と、事態回避指示とをメッセージ生成部３（図１）に送信する。ここで、事態回避指示とは、携帯端末装置８と携帯端末装置９の間でメールの送受信を実現するために、どのタイミングで無線リンクの確立を試みるかを指示するものである。その指示内容は、例えば次回のアプリケーションの同期起動時に無線リンクの確立を試みるとか、同期起動のタイミングとは無関係に出来るだけ早く無線リンクの確立を試みるなど、起動するアプリケーションに依存する。メッセージ生成部３は、メールクライアントアプリケーション６ａの指示に従ってメッセージＡを生成し（Ｓ３０３）、無線機能部７に送信する。無線機能部７はメッセージＡを管理装置１１に送信する（Ｓ３０４）。
【００４８】
管理装置１１の受信部１３は、携帯端末装置８から受信したメッセージＡをメッセージ記憶部１４に送信する（Ｓ３０５）。メッセージ記憶部１４は、メッセージＡを保存する（Ｓ３０６）。メッセージ記憶部１４はメッセージ生成部１６に対し、保存したメッセージＡのコピーであるメッセージＢを定期的に生成するよう指示する。生成されたメッセージＢは送信部１７を経由して携帯端末装置９へ送信される（Ｓ３０７）。
【００４９】
携帯端末装置９は、管理装置１１からのメッセージＢの受信を、消費電力が大きくならない程度に、定期的に試みる（Ｓ３０８）。無線機能部７は、受信したメッセージＢをメッセージ解析部４に送信する。メッセージ解析部４は、メッセージＢに含まれる宛名を調べて、メッセージＢが携帯端末装置９宛に送信されたメッセージかどうかをチェックする（Ｓ３０９）。メッセージＢが携帯端末装置９宛である場合、メッセージ解析部４はメッセージ生成部３に対し、事態回避指示を受信したことを管理装置１１に通知するメッセージであるメッセージＣを生成するよう指示する。メッセージ生成部３は、メッセージ送信元である携帯端末装置９の宛名と、事態回避指示の受信通知とを内容とするメッセージＣを生成する（Ｓ３１０）。メッセージＣは無線機能部７を経由して管理装置１１に送信される（Ｓ３１１）。
【００５０】
管理装置１１の受信部１３は、携帯端末装置９から受信したメッセージＣをメッセージ記憶部１４に送信する（Ｓ３１２）。メッセージ記憶部１４は、メッセージ生成部１６に対して、メッセージＢの生成を停止するよう指示し、送信部１７に対して、携帯端末装置９へのメッセージＢの送信を停止するよう指示する（Ｓ３１３）。メッセージ記憶部１４は保存していたメッセージＡを削除する（Ｓ３１４）。
【００５１】
メッセージ解析部４は、事態回避指示をメッセージＢから抽出し、アラーム部１へ送信し、アラーム部１は事態回避指示をメールサーバアプリケーション６ｂに送信する（Ｓ３１５）。携帯端末装置８のメールクライアントアプリケーション６ａおよび携帯端末装置９のメールサーバアプリケーション６ｂは、事態回避指示に従ったタイミングで、それぞれの無線機能部７に対して、無線リンクの確立を試みるように指示する（Ｓ３１６）。携帯端末装置８と携帯端末装置９の間で無線リンクの確立に成功した場合には、メールの送受信を行う。メールの送受信が完了した場合、携帯端末装置８はメールクライアントアプリケーション６ａと無線機能部７を停止し、携帯端末装置９はメールサーバアプリケーション６ｂと無線機能部７を停止する（Ｓ３１７）。
【００５２】
以上のように本実施の形態によれば、データの交換に失敗した場合には複数の携帯端末装置のデータ交換の仲介または調整を行う管理装置を備えたことにより、データの交換に失敗した送信元携帯端末装置からの設定データおよびデータ交換方法を受信して、送信先携帯端末装置へ送信し、両携帯端末装置間の通信状態の復旧動作を調整することができるので、アプリケーションごとの特性に合った方法でデータ通信の再開を行うことができる。
【００５３】
（実施の形態４）
本発明の実施の形態４による無線通信システムの構成は実施の形態３と同様、図４、図５の構成である。
【００５４】
このように構成された無線通信システムについて、その動作を図７を用いて説明する。図７は本発明の実施の形態４による無線通信システムの動作を示すフローチャートである。
【００５５】
まず、携帯端末装置８および携帯端末装置９は、実施の形態３におけるステップＳ３０１と同様の処理を行い、メールの送受信を開始するための動作を開始する（Ｓ４０１）。しかし今回は、携帯端末装置８と携帯端末装置９の間で、無線リンクを張ることができず、メールの送受信に失敗する（Ｓ４０２）。携帯端末装置８のメールクライアントアプリケーション６ａは、メールの内容を表すデータを無線機能部７を経由して管理装置１１に送信する（Ｓ４０３）。なお、このデータにはメール送信先の宛名が含まれているものとする。携帯端末装置８は、データの送信を完了した場合、メールクライアントアプリケーション６ａと無線機能部７を停止する。
【００５６】
管理装置１１の受信部１３は、携帯端末装置８から受信したデータをデータ記憶部１５に送信する（Ｓ４０４）。データ記憶部１５はこのデータを保存し、データのコピーを送信部１７に定期的に送信する（Ｓ４０５）。送信部１７はデータを携帯端末装置９へ送信する（Ｓ４０６）。
【００５７】
携帯端末装置９は、管理装置１１からのデータの受信を、消費電力が大きくならない程度に、定期的に試みる（Ｓ４０７）。データを受信した場合、無線機能部７は受信したデータをメールサーバアプリケーション６ｂに送信する。メールサーバアプリケーション６ｂは、受信データに含まれるメール送信先の宛名を調べ、受信データが携帯端末装置９宛のメールかどうかをチェックする。受信データが携帯端末装置９宛のメールである場合、メールサーバアプリケーション６ｂは、メッセージ生成部３に対し、メールを受信したことを管理装置１１に通知するためのメッセージを生成するよう指示する（Ｓ４０８）。メッセージ生成部３は、メッセージ送信元である携帯端末装置９の宛名と、メールの受信通知とを内容とするメッセージを生成し、無線機能部７に送信する。無線機能部７は、メッセージ生成部３から受信したメッセージを管理装置１１に送信する（Ｓ４０９）。携帯端末装置９は、メールの受信を完了した場合、メールサーバアプリケーション６ｂと無線機能部７を停止する。
【００５８】
管理装置１１の受信部１３は携帯端末装置９から受信したメッセージをメッセージ記憶部１４に送信し、データ記憶部１５は、データのコピーの生成と送信部１７への送信を停止すると共に送信部１７から携帯端末装置９へのデータの送信を停止し、不要となったデータを消去する（Ｓ４１０）。
【００５９】
以上のように本実施の形態によれば、管理装置１１は、アプリケーションデータの仲介を行うことが可能であることにより、データの交換に失敗した送信元携帯端末装置からのアプリケーションデータを送信先携帯端末装置の代理として受信し、通信状態が復旧した後で、送信先携帯端末装置へ送信することができ、また、間接的なデータ通信が可能となるので、携帯端末装置はデータ通信を行う際に互いの通信可能圏内にいる必要が無くなる。
【００６０】
（実施の形態５）
本発明の実施の形態５による無線通信システムの構成は実施の形態３と同様、図４、図５の構成である。
【００６１】
このように構成された無線通信システムについて、その動作を図８を用いて説明する。図８は本発明の実施の形態５による無線通信システムの動作を示すフローチャートである。
【００６２】
まず、携帯端末装置８はアプリケーションの同期起動設定を行う時（実施の形態２におけるＳ２０１）、あるいは携帯端末装置９とのメール送受信に失敗した時（実施の形態３におけるＳ３０２）などのように、直後に何らかのメッセージを生成する状態にあるものとする（Ｓ５０１）。メッセージ生成部３は、メッセージを生成する際に、携帯端末装置８のバッテリ残量およびメモリ使用量等のシステムデータをメッセージに付加する（Ｓ５０２）。メッセージ生成部３は生成したメッセージを、無線機能部７を経由して管理装置１１に送信する（Ｓ５０３）。
【００６３】
管理装置１１は、実施の形態３におけるステップＳ３０５〜Ｓ３０７と同様の処理を行う（Ｓ５０４）。ただし、携帯端末装置８から受信したメッセージ中にシステムデータが含まれている場合には、システムデータを除去したメッセージを携帯端末装置９へ送信する。
【００６４】
携帯端末装置９は、受信したメッセージに応じて、同期起動に関する設定、事態回避指示の実行、等の処理を行う（Ｓ５０５）。
【００６５】
管理装置１１のメッセージ記憶部１４に保存されたメッセージは常時閲覧することができる。そのメッセージを閲覧することにより（Ｓ５０６）、管理装置１１の管理者は、管理装置１１の通信可能圏内にある携帯端末装置間のデータ通信の状況および携帯端末装置の状態の把握が可能になる。
【００６６】
以上のように本実施の形態によれば、管理装置１１は、全ての設定データおよび全てのアプリケーションデータの仲介を行うことが可能であり、管理下にある各携帯端末装置の通信動作状況の把握が可能であることにより、管理装置１１には、携帯端末装置間での設定データ交換の成否に関わらず、全てのデータの履歴を蓄積することができるので、管理下にある携帯端末装置間の通信状況を把握することができ、システム運用における不具合点の把握が容易になる。
【００６７】
また、管理装置１１は、管理下にある複数の携帯端末装置８、９のそれぞれに対してシステムデータを無線で通知させることが可能であることにより、管理装置１１には、各携帯端末装置のバッテリ残量やメモリ使用量などのシステムデータを蓄積することができるので、システム障害を事前に検知することができる。
【００６８】
（実施の形態６）
本発明の実施の形態６による無線通信システムの構成は実施の形態３と同様、図４、図５の構成である。
【００６９】
このように構成された無線通信システムについて、その動作を図９を用いて説明する。図９は本発明の実施の形態６による無線通信システムの動作を示すフローチャートである。なお、以降の説明においては、携帯端末装置８は管理装置１１の通信可能圏内にあり、携帯端末装置１０は管理装置１２の通信可能圏内にあるものとし、携帯端末装置８と携帯端末装置１０との間では無線リンクを張れない状態にあるものとする。
【００７０】
まず、携帯端末装置８は、実施の形態２におけるステップＳ２０１〜Ｓ２０４と同様の方法で、アプリケーションの同期起動に関する設定およびメッセージの生成を行う（Ｓ６０１）。携帯端末装置８のメッセージ生成部３は、ステップＳ６０１で生成したメッセージＡを無線機能部７を経由して管理装置１１に送信する（Ｓ６０２）。
【００７１】
管理装置１１の受信部１３は、メッセージＡをメッセージ記憶部１４に送信し、メッセージ記憶部１４はメッセージＡを保存する（Ｓ６０３）。メッセージ記憶部１４は、携帯端末装置１０が管理装置１１の通信可能圏内にあるかどうかを調べるために、メッセージ生成部１６に対しメッセージＡのコピーであるメッセージＢを生成するよう指示する。メッセージ生成部１６は、送信部１７を経由して、携帯端末装置１０へのメッセージＢの送信を試みる（Ｓ６０４）。ただし、管理装置１１は、一定時間が経過しても携帯端末装置１０からの反応がない場合、携帯端末装置１０へのメッセージの送信に失敗したとみなす。メッセージＢの送信は、携帯端末装置１０が管理装置１１の通信可能圏内にいないために失敗する（Ｓ６０５）。メッセージ生成部１６は、携帯端末装置１０が管理装置１２の通信可能圏内にあるかどうかを調べるために、メッセージＢを有線リンクを経由して管理装置１２に送信する（Ｓ６０６）。
【００７２】
管理装置１２の受信部１３は、メッセージＢをメッセージ記憶部１４に送信し、メッセージ記憶部１４はメッセージＢを保存する（Ｓ６０７）。携帯端末装置１０が管理装置１２の通信可能圏内にあるかどうかを調べるために、メッセージ記憶部１４はメッセージ生成部１６に対し、メッセージＢのコピーであるメッセージＣを生成するよう指示する。メッセージ生成部１６は、送信部１７を経由して、携帯端末装置１０へのメッセージＣの送信を試みる（Ｓ６０８）。
【００７３】
携帯端末装置１０は、メッセージＣを受信後、実施の形態２におけるステップＳ２０６〜Ｓ２０８と同様の方法で、メールサーバアプリケーション６ｂの同期起動の設定を行う（Ｓ６０９）。携帯端末装置１０のメッセージ生成部３は、メッセージ送信元である携帯端末装置１０の宛名と、メッセージＣの受信通知とを内容とするメッセージであるメッセージＤを生成し、このメッセージＤを無線機能部７を経由して管理装置１２に送信する（Ｓ６１０）。
【００７４】
管理装置１２の受信部１３は、メッセージＤをメッセージ記憶部１４に送信し、メッセージ記憶部１４はメッセージＤを保存する（Ｓ６１１）。メッセージ生成部１６は、携帯端末装置１０が管理装置１２の通信可能圏内にあることを通知するメッセージであるメッセージＥを管理装置１１に送信する（Ｓ６１２）。
【００７５】
管理装置１１の受信部１３は、メッセージＥをメッセージ記憶部１４に送信し、メッセージ記憶部１４は、メッセージＥを保存する（Ｓ６１３）。これにより、管理装置１１は、携帯端末装置１０が管理装置１２の通信可能圏内にあり、携帯端末装置８からのメッセージおよびデータを携帯端末装置１０に送信するためには、それらを管理装置１２に送信すればよいことを認識する。
【００７６】
携帯端末装置８はメールクライアントアプリケーション５、携帯端末装置１０はメールサーバアプリケーション６を同期起動する（Ｓ６１４）。さらに、携帯端末装置８は管理装置１１との間に、携帯端末装置１０は管理装置１２との間に無線リンクを張る。これにより、携帯端末装置８のメールクライアントアプリケーション６ａと携帯端末装置１０のメールサーバアプリケーション６ｂは、管理装置１１および管理装置１２を経由して、メールの送受信を自動的に行うことが可能となる。メールの送受信が完了した場合、携帯端末装置８はメールクライアントアプリケーション６ａと無線機能部７を停止し、携帯端末装置１０はメールサーバアプリケーション６ｂと無線機能部７を停止する（Ｓ６１５）。
【００７７】
以上のように本実施の形態によれば、管理装置は複数であり、複数の管理装置１１、１２の間は無線または有線でデータ交換可能であることにより、各携帯端末装置８〜１０は、どの管理装置の管理下にあってもシームレスに、相手側の携帯端末装置との間のデータ通信が可能になる。
【００７８】
【発明の効果】
以上説明したように本発明の請求項１に記載の無線通信システムによれば、複数の携帯端末装置の間で無線リンクを介してデータ通信を行う無線通信システムであって、複数の携帯端末装置はそれぞれ、複数の携帯端末装置の間の無線通信におけるデータ転送経路を取得すると共に、データ通信を行うアプリケーションの起動の同期動作を複数の携帯端末装置の間で絶対時間を用いて行うことにより、携帯端末装置間で定期的なデータ交換を行う場合に、無線データ通信を行うアプリケーションを自動で起動することができ、また無線機能はアプリケーションの動作中以外に起動することはないようにすることができるので、無線によるデータ通信経路を常時維持する必要がなく、消費電力を低減することができるという有利な効果が得られる。
【００７９】
請求項２に記載の無線通信システムによれば、絶対時間に代えて複数の携帯端末装置の間で一意に決められた相対時間を用いることにより、携帯端末装置間で定期的なデータ交換を行う場合に、無線データ通信を行うアプリケーションを自動で起動することができ、また無線機能はアプリケーションの動作中以外に起動することはないようにすることができるので、無線によるデータ通信経路を常時維持する必要がなく、消費電力を低減することができるという有利な効果が得られる。
【００８０】
請求項３に記載の無線通信システムによれば、複数の携帯端末装置はそれぞれ、同期起動の設定データを複数の携帯端末装置の間で無線通信を用いて交換し、設定データに基づいて同期動作を行わせることにより、１つの携帯端末装置に同期起動の設定をすることで、関連する他の携帯端末装置には自動的に設定内容を反映させることができるので、複数の携帯端末装置ごとに同期起動の設定をする手間を省くことができると共に、設定誤りによってデータ通信機能に与える損失を防止することができるという有利な効果が得られる。
【００８１】
請求項４に記載の無線通信システムによれば、請求項１乃至３のいずれか１に記載の無線通信システムにおいて、複数の携帯端末装置はそれぞれ、複数の携帯端末装置の間で生じる時間の差分の調整を無線通信を用いた時間データの交換により行うことにより、各携帯端末装置の時間を自動的に調整することができるので、携帯端末装置間の自動起動周期のずれを吸収してデータ転送機能の誤動作を防止することができると共に、各携帯端末装置の時間管理の精度が低くてもよいという有利な効果が得られる。
【００８２】
請求項５に記載の無線通信システムによれば、請求項３または４に記載の無線通信システムにおいて、データの交換に失敗した場合には複数の携帯端末装置のデータ交換の仲介または調整を行う管理装置を備えたことにより、データの交換に失敗した送信元携帯端末装置からの設定データおよびデータ交換方法を受信して、送信先携帯端末装置へ送信し、両携帯端末装置間の通信状態の復旧動作を調整することができるので、アプリケーションごとの特性に合った方法でデータ通信の再開を行うことができるという有利な効果が得られる。
【００８３】
請求項６に記載の無線通信システムによれば、請求項５に記載の無線通信システムにおいて、管理装置は、アプリケーションデータの仲介を行うことが可能であることにより、データの交換に失敗した送信元携帯端末装置からのアプリケーションデータを送信先携帯端末装置の代理として受信し、通信状態が復旧した後で、送信先携帯端末装置へ送信することができ、また、間接的なデータ通信が可能となるので、携帯端末装置はデータ通信を行う際に互いの通信可能圏内にいる必要が無くなるという有利な効果が得られる。
【００８４】
請求項７に記載の無線通信システムによれば、請求項５に記載の無線通信システムにおいて、管理装置は、全ての設定データおよび全てのアプリケーションデータの仲介を行うことが可能であり、管理下にある各携帯端末装置の通信動作状況の把握が可能であることにより、管理装置には、携帯端末装置間での設定データ交換の成否に関わらず、全てのデータの履歴を蓄積することができるので、管理下にある携帯端末装置間の通信状況を把握することができ、システム運用における不具合点の把握が容易になるという有利な効果が得られる。
【００８５】
請求項８に記載の無線通信システムによれば、請求項５乃至７のいずれか１に記載の無線通信システムにおいて、管理装置は、管理下にある複数の携帯端末装置のそれぞれに対してシステムデータを無線で通知させることが可能であることにより、管理装置には、各携帯端末装置のバッテリ残量やメモリ使用量などのシステムデータを蓄積することができるので、システム障害を事前に検知することができるという有利な効果が得られる。
【００８６】
請求項９に記載の無線通信システムによれば、請求項５乃至８のいずれか１に記載の無線通信システムにおいて、管理装置は複数であり、複数の管理装置の間は無線または有線でデータ交換可能であることにより、各携帯端末装置は、どの管理装置の管理下にあってもシームレスに、相手側の携帯端末装置との間のデータ通信が可能になるという有利な効果が得られる。
【図面の簡単な説明】
【図１】本発明の実施の形態１、２による無線通信システムを構成する携帯端末装置を示すブロック図
【図２】図１の携帯端末装置の動作を示すフローチャート
【図３】本発明の実施の形態２による無線通信システムの動作を示すフローチャート
【図４】本発明の実施の形態３、４、５、６による無線通信システムを示すブロック図
【図５】図４の管理装置を示すブロック図
【図６】本発明の実施の形態３による無線通信システムの動作を示すフローチャート
【図７】本発明の実施の形態４による無線通信システムの動作を示すフローチャート
【図８】本発明の実施の形態５による無線通信システムの動作を示すフローチャート
【図９】本発明の実施の形態６による無線通信システムの動作を示すフローチャート
【符号の説明】
１　アラーム部
２　タイマ部
３、１６　メッセージ生成部
４　メッセージ解析部
５　アプリケーション部
６ａ　メールクライアントアプリケーション
６ｂ　メールサーバアプリケーション
７　無線機能部
８、９、１０　携帯端末装置
１１、１２　管理装置
１３　受信部
１４　メッセージ記憶部
１５　データ記憶部
１７　送信部
【図１】
2004015275.tif 000003
【図２】
2004015275.tif 000004
【図３】
2004015275.tif 000005
【図４】
2004015275.tif 000006
【図５】
2004015275.tif 000007
【図６】
2004015275.tif 000008
【図７】
2004015275.tif 000009
【図８】
2004015275.tif 000010
【図９】
2004015275.tif 000011